(57)【要約】【課題】不正アクセスを容易に把握することが可能な家電機器監視システムおよびそのシステムに用いられる表示装置を提供する。【解決手段】この家電機器監視システム１００は、ホームネットワーク２に接続されるネットワーク家電機器３と、ネットワーク家電機器３を制御するための制御信号をインターネット６を介してネットワーク家電機器３に送信する携帯電話機４と、携帯電話機４および不正外部機器２００からネットワーク家電機器３へのアクセスログ記録を表示してユーザに通知する表示部１１を含むテレビジョン装置１とを備える。【選択図】図１
2015080058.tif 000002
【特許請求の範囲】
【請求項１】
内部ネットワークに接続されるネットワーク家電機器と、
前記ネットワーク家電機器を制御するための制御信号を外部ネットワークを介して前記ネットワーク家電機器に送信する操作機器と、
前記操作機器から前記ネットワーク家電機器へのアクセス記録を表示してユーザに通知する表示部を含む表示装置とを備える、家電機器監視システム。
【請求項２】
前記操作機器は、不正外部機器を含み、
前記表示装置は、前記不正外部機器を含む前記操作機器から前記ネットワーク家電機器へのアクセス記録を前記内部ネットワークから取得する制御部を含む、請求項１に記載の家電機器監視システム。
【請求項３】
前記制御部は、少なくとも前記表示装置の電源がオフの状態からオンの状態までの間において、前記アクセス記録を取得するように構成されている、請求項２に記載の家電機器監視システム。
【請求項４】
前記外部ネットワークに接続される前記不正外部機器を含む前記操作機器と前記内部ネットワークに接続される前記ネットワーク家電機器との双方向通信を中継するとともに、前記表示装置に接続される中継器をさらに備え、
前記表示装置は、前記中継器を介した前記ネットワーク家電機器と前記不正外部機器を含む前記操作機器との間の通信状態を前記アクセス記録として表示するように構成されている、請求項２または３に記載の家電機器監視システム。
【請求項５】
前記アクセス記録は、前記不正外部機器を含む前記操作機器のＩＰアドレスまたはＭＡＣアドレスと、前記不正外部機器を含む前記操作機器から前記ネットワーク家電機器へのアクセス時間と、前記不正外部機器を含む前記操作機器と前記ネットワーク家電機器との間の通信量と、前記不正外部機器を含む前記操作機器と前記ネットワーク家電機器との間の通信頻度とのうちの少なくとも１つからなる、請求項２〜４のいずれか１項に記載の家電機器監視システム。
【請求項６】
前記ネットワーク家電機器は、ディスプレイを有するコンピュータを含み、
前記コンピュータは、前記内部ネットワークを介して前記アクセス記録を前記表示装置から受信するとともに、前記表示装置の前記表示部とは別に前記アクセス記録を前記ディスプレイに表示してユーザに通知するように構成されている、請求項２〜５のいずれか１項に記載の家電機器監視システム。
【請求項７】
前記操作機器は、携帯情報機器を含み、
前記携帯情報機器は、前記外部ネットワークを介して前記アクセス記録を前記表示装置から受信するとともに、前記表示部とは別に前記アクセス記録をユーザに通知するように構成されている、請求項２〜６のいずれか１項に記載の家電機器監視システム。
【請求項８】
前記内部ネットワークに接続された前記ネットワーク家電機器のうち、前記アクセス記録を表示する対象を登録可能に構成されている、請求項２〜７のいずれか１項に記載の家電機器監視システム。
【請求項９】
内部ネットワークに接続されたネットワーク家電機器を制御するための制御信号を外部ネットワークを介して送信する操作機器から前記ネットワーク家電機器へのアクセス記録を、前記内部ネットワークから取得する制御部と、
取得した前記アクセス記録を表示してユーザに通知する表示部とを備える、表示装置。
【発明の詳細な説明】
【技術分野】
【０００１】
この発明は、家電機器監視システムおよび表示装置に関し、特に、外部ネットワークを介して制御されるネットワーク家電機器を備える家電機器監視システムおよびそのシステムに用いられる表示装置に関する。
【背景技術】
【０００２】
従来、外部ネットワークを介して制御されるネットワーク家電機器を備える家電機器監視システムなどが知られている（たとえば、特許文献１参照）。
【０００３】
上記特許文献１には、宅内ネットワーク（内部ネットワーク）に接続されるネットワーク家電機器と、ネットワーク家電機器を制御するための制御コマンド（制御信号）をインターネット（外部ネットワーク）を介してネットワーク家電機器に送信する携帯電話機（操作機器）とを備えた家電機器制御システムが開示されている。この家電機器制御システムは、ユーザの携帯電話機により、ネットワーク家電機器の電源が操作（オンまたはオフ）されるとともに、電源操作の際に、ネットワーク家電機器の電源状態（オンの状態またはオフの状態）がユーザに把握されるように構成されている。
【先行技術文献】
【特許文献】
【０００４】
【特許文献１】特許第４６９３４２５号公報
【発明の概要】
【発明が解決しようとする課題】
【０００５】
しかしながら、上記特許文献１に記載の家電機器制御システムでは、ユーザは、ネットワーク家電機器の電源状態を把握することはできるものの、ネットワーク家電機器へのアクセスがあったか否かを把握することが困難である。その結果、不正アクセスを把握し難いという問題点がある。
【０００６】
この発明は、上記のような課題を解決するためになされたものであり、この発明の１つの目的は、不正アクセスを容易に把握することが可能な家電機器監視システムおよびそのシステムに用いられる表示装置を提供することである。
【課題を解決するための手段】
【０００７】
この発明の第１の局面による家電機器監視システムは、内部ネットワークに接続されるネットワーク家電機器と、ネットワーク家電機器を制御するための制御信号を外部ネットワークを介してネットワーク家電機器に送信する操作機器と、操作機器からネットワーク家電機器へのアクセス記録を表示してユーザに通知する表示部を含む表示装置とを備えている。
【０００８】
この発明の第１の局面による家電機器監視システムでは、上記のように、操作機器からネットワーク家電機器へのアクセス記録を表示してユーザに通知する表示部を含む表示装置を設けることによって、ユーザがアクセス記録を取得するために各々のネットワーク家電機器に対して特別な操作をしなくとも、表示装置によりアクセス記録がユーザに通知されるので、ユーザは不正な操作機器からの不正アクセスを容易に把握することができる。
【０００９】
操作機器は、不正外部機器を含み、表示装置は、不正外部機器を含む操作機器からネットワーク家電機器へのアクセス記録を内部ネットワークから取得する制御部を含む。このように構成すれば、表示装置に不正外部機器を含む操作機器からの不正アクセスに関するアクセス記録が表示されるので、ユーザは不正な操作機器からの不正アクセスをより容易に把握することができる。
【００１０】
この場合において、好ましくは、表示装置は、操作機器および不正外部機器からネットワーク家電機器へのアクセス記録を内部ネットワークから取得する制御部を含み、制御部は、少なくとも表示装置の電源がオフの状態からオンの状態までの間において、アクセス記録を取得するように構成されている。このように構成すれば、ユーザが外出している時間帯や就寝中の時間帯など、ユーザがネットワーク家電機器の状態を知り得ない時間帯のアクセスログ記録を取得することができるので、不正アクセスに関する有効な情報をユーザに提供することができる。
【００１１】
上記操作機器が不正外部機器を含む構成において、好ましくは、外部ネットワークに接続される不正外部機器を含む操作機器と内部ネットワークに接続されるネットワーク家電機器との双方向通信を中継するとともに、表示装置に接続される中継器をさらに備え、表示装置は、中継器を介したネットワーク家電機器と操作機器および不正外部機器との間の通信状態をアクセス記録として表示するように構成されている。このように構成すれば、表示装置は、中継器から、不正外部機器を含む操作機器とネットワーク家電機器との通信状態を取得することができるので、容易にアクセス記録を表示することができる。
【００１２】
上記操作機器が不正外部機器を含む構成において、好ましくは、アクセス記録は、不正外部機器を含む操作機器のＩＰアドレスまたはＭＡＣアドレスと、不正外部機器を含む操作機器からネットワーク家電機器へのアクセス時間と、不正外部機器を含む操作機器とネットワーク家電機器との間の通信量と、不正外部機器を含む操作機器とネットワーク家電機器との間の通信頻度とのうちの少なくとも１つからなる。このように構成すれば、不正アクセスがあった場合に、ユーザが身に覚えのないＩＰアドレス、ＭＡＣアドレス、アクセス時間、通信量および通信頻度のうちの少なくともいずれか１つが表示装置に表示されるので、ユーザは、より容易に不正外部機器からの不正アクセスを把握することができる。
【００１３】
上記操作機器が不正外部機器を含む構成において、好ましくは、ネットワーク家電機器は、ディスプレイを有するコンピュータを含み、コンピュータは、内部ネットワークを介してアクセス記録を表示装置から受信するとともに、表示装置の表示部とは別にアクセス記録をディスプレイに表示してユーザに通知するように構成されている。このように構成すれば、ユーザは、表示部に加えて、コンピュータによってもアクセス記録を把握することができるので、アクセス記録をより容易に把握することができる。
【００１４】
上記操作機器が不正外部機器を含む構成において、好ましくは、操作機器は、携帯情報機器を含み、携帯情報機器は、外部ネットワークを介してアクセス記録を表示装置から受信するとともに、表示部とは別にアクセス記録をユーザに通知するように構成されている。このように構成すれば、表示部に加えてユーザの手元にある可能性が高い携帯情報機器によっても通知がなされるので、ユーザは、アクセス記録をより一層容易に把握することができる。
【００１５】
上記操作機器が不正外部機器を含む構成において、好ましくは、内部ネットワークに接続されたネットワーク家電機器のうち、アクセス記録を表示する対象機器を登録可能に構成されている。このように構成すれば、ユーザの選択によりアクセス記録を表示する対象機器を登録することができるので、ユーザが必要とするネットワーク家電機器のアクセス記録のみを表示させることができる。
【００１６】
この発明の第２の局面による表示装置は、内部ネットワークに接続されたネットワーク家電機器を制御するための制御信号を外部ネットワークを介して送信する不正外部機器を含む操作機器からネットワーク家電機器へのアクセス記録を、内部ネットワークから取得する制御部と、取得したアクセス記録を表示してユーザに通知する表示部とを備えている。
【００１７】
この発明の第２の局面による表示装置では、上記のように、操作機器からネットワーク家電機器へのアクセス記録を表示してユーザに通知することによって、ユーザがアクセス記録を取得するために各々のネットワーク家電機器に対して特別な操作をしなくとも、アクセス記録がユーザに通知されるので、ユーザは不正外部機器からの不正アクセスを容易に把握することができる。
【発明の効果】
【００１８】
本発明によれば、上記のように、不正アクセスを容易に把握することが可能な家電機器監視システムおよびそのシステムに用いられる表示装置を提供することができる。
【図面の簡単な説明】
【００１９】
【図１】本発明の第１実施形態による家電機器監視システムの全体構成を示したブロック図である。
【図２】本発明の第１実施形態によるテレビジョン装置が所定のＯＳＤメニューを表示する状態を示した図である。
【図３】本発明の第１実施形態によるテレビジョン装置が他の所定のＯＳＤメニューを表示する状態を示した図である。
【図４】本発明の第１実施形態によるテレビジョン装置がネットワーク家電機器の登録画面を表示する状態を示した図である。
【図５】本発明の第１実施形態によるテレビジョン装置のアクセスログ記録を表示するためのフローチャートである。
【図６】本発明の第２実施形態による家電機器監視システムの一部の構成を示した模式図である。
【図７】本発明の第３実施形態による家電機器監視システムの一部の構成を示した模式図である。
【発明を実施するための形態】
【００２０】
以下、本発明を具体化した実施形態を図面に基づいて説明する。
【００２１】
（第１実施形態）
図１〜図５を参照して、本発明の第１実施形態による家電機器監視システム１００およびテレビジョン装置１の構成を説明する。なお、テレビジョン装置１は、本発明の「表示装置」の一例である。
【００２２】
本発明の第１実施形態による家電機器監視システム１００は、図１に示すように、住宅の内部に構築されているホームネットワーク２に接続されている種々のネットワーク家電機器３および表示部１１を含むテレビジョン装置１と、住宅の外部に構築されているインターネット５に接続されている携帯電話機４とを備えている。携帯電話機４は、ネットワーク家電機器３を制御するための制御信号を、インターネット５を介してネットワーク家電機器３に送信するように構成されている。テレビジョン装置１の表示部１１は、携帯電話機４からネットワーク家電機器３へのアクセスログ記録を表示してユーザに通知するように構成されている。なお、携帯電話機４は、「操作機器」の一例である。また、インターネット５およびホームネットワーク２は、それぞれ、本発明の「外部ネットワーク」および「内部ネットワーク」の一例である。また、アクセスログ記録は、本発明の「アクセス記録」の一例である。
【００２３】
ここで、家電機器監視システム１００は、家電機器監視システム１００を利用する権限を有する正規のユーザが所有する携帯電話機４により、操作されるように構成されている。しかしながら、家電機器監視システム１００は、ホームネットワーク２を利用する権限を有さない悪意の第３者の所有する機器により、操作（不正アクセス）される場合がある。なお、第３者の所有する機器の具体的な例としては、図１に示すように、不正外部機器２００が挙げられる。なお、不正外部機器２００は、「操作機器」の一例である。
【００２４】
住宅の外部に構築されているインターネット５は、図１に示すように、基地局４ａを介して携帯電話機４に接続されている。また、インターネット５は、ホームネットワーク２にも接続されている。したがって、携帯電話機４とホームネットワーク２とは基地局４ａおよびインターネット５を介して接続されている。また、インターネット５は、不正外部機器２００にも接続されている。
【００２５】
携帯電話機４は、３Ｇ（Ｔｈｉｒｄ  Ｇｅｎｅｒａｔｉｏｎ）の規格に従って基地局４ａと通信することが可能なように構成されている。なお、３Ｇとは、移動体通信ネットワークの規格の１つである。なお、携帯電話機４は、ネットワーク家電機器３を管理するために、インターネット５に接続された所定のサーバ（図示せず）から、所定の管理アプリケーションソフトをダウンロードすることが可能に構成されている。また、携帯電話機４は、管理アプリケーションを用いて、ホームネットワーク２に接続されたネットワーク家電機器３の電源状態などの管理に関する操作を行うように構成されている。これにより、家電機器監視システム１００では、ユーザが遠隔地にいたとしても、携帯電話機４を介して、ネットワーク家電機器３の電源状態が操作（オンまたはオフ）されるとともに、ネットワーク家電機器３の状態がユーザにより把握されるように構成されている。また、不正外部機器２００（悪意の第３者の所有する機器）も携帯電話機４と同様の機能をしている。
【００２６】
住宅の内部に構築されているホームネットワーク２は、住宅の外部に構築されているインターネット５に有線接続されるルーター６と、ルーター６に無線接続されるネットワーク家電機器３およびテレビジョン装置１とから構成されている。なお、ルーター６は、本発明の「中継器」の一例である。
【００２７】
また、ルーター６は、内蔵された無線通信用の通信部７ａにより、ネットワーク家電機器３およびテレビジョン装置１と携帯電話機４（不正外部機器２００）との間の双方向への信号の送信を中継することが可能なように接続されている。
【００２８】
詳細には、ルーター６は、住宅の外部に構築されている公衆回線網の１つであるインターネット５に、図示しない光ファイバーケーブルおよびＯＮＵ（Ｏｐｔｉｃａｌ  Ｎｅｔｗｏｒｋ  Ｕｎｉｔ）を介して光通信が可能なように有線接続されている。また、ルーター６は、無線ＬＡＮ規格の１つであるＷｉ−Ｆｉ（Ｗｉｒｅｌｅｓｓ  Ｆｉｄｅｌｉｔｙ、登録商標）によりネットワーク家電機器３およびテレビジョン装置１と通信を行えるように無線接続されている。
【００２９】
また、ルーター６は、携帯電話機４（不正外部機器２００）からの制御信号を受信して、ネットワーク家電機器３のうち、制御信号に対応する操作対象のネットワーク家電機器３だけに制御信号を送信するように構成されている。また、ルーター６は、テレビジョン装置１においてアクセスログ記録を取得して表示するために、テレビジョン装置１に制御信号を送信するように構成されている。なお、制御信号には、操作対象を特定する信号、アクセスログ記録に対応する信号、および、操作対象に対する具体的な操作内容に関する信号などが含まれている。
【００３０】
また、ルーター６は、ユーザが、携帯電話機４（不正外部機器２００）において、ネットワーク家電機器３の電源状態などを把握することができるように、電源状態などの情報を通知するための状態信号をネットワーク家電機器３から受信して携帯電話機４（不正外部機器２００）に送信するように構成されている。また、ルーター６は、この状態信号をテレビジョン装置１にも送信するように構成されている。
【００３１】
ネットワーク家電機器３は、電気ポット３１と、エアコン３２と、照明３３と、ディスプレイ３４ａを有するデスクトップパソコン３４とを含んでいる。また、ネットワーク家電機器３は、手動などに加えて、インターネット５を介して送信された携帯電話機４（不正外部機器２００）の操作に基づく制御信号によっても、電源がオンの状態とオフの状態とを切り替える（電源状態を変更する）ことが可能なように構成されている。
【００３２】
また、電気ポット３１は、ルーター６と無線通信を行うための通信部３１ａと、通信部３１ａに接続され、電気ポット３１に対しての種々の制御を行う制御部３１ｂとを備えている。たとえば、制御部３１ｂは、携帯電話機４から受信した制御信号に基づいて、電源がオンの状態とオフの状態とを切り替える（電源状態を変更する）以外に、起動時間のタイマー予約を設定するなどの操作を行うように構成されている。
【００３３】
なお、図示しないが、エアコン３２、照明３３およびデスクトップパソコン３４などの各種ネットワーク家電機器３も、それぞれ電気ポット３１と同様の通信部および制御部を備えている。また、ネットワーク家電機器３は、上記の４種の電気ポット３１、エアコン３２、照明３３およびデスクトップパソコン３４に限られるものではない。たとえば、ネットワーク家電機器３は、ホームネットワーク２から４種のネットワーク家電機器３のうちのいずれかを削除することや、新たにオーディオ機器や洗濯機などの家電機器をネットワーク家電機器３として追加することが可能なように構成されている。
【００３４】
テレビジョン装置１は、図１および図２に示すように、画像を表示する表示部１１と、ネットワーク家電機器３と同様に、ルーター６と無線通信を行うための通信部１２と、テレビジョン装置１の各部の制御を行う制御部１３と、記憶部１４とを備えている。
【００３５】
ここで、第１実施形態では、テレビジョン装置１の制御部１３は、携帯電話機４や不正外部機器２００などがネットワーク家電機器３を操作する際に発信する制御信号をルーター６を介して受信するように構成されている。また、制御部１３は、受信した制御信号を元にして、アクセスログ記録を取得するように構成されている。具体的には、制御部１３は、ログ取得用アプリケーションソフトを実行することにより、制御信号からアクセスログ記録を取得するように構成されている。この際、アクセスログ記録として、制御信号が送信された携帯電話機４または不正外部機器２００のＩＰアドレスと、携帯電話機４または不正外部機器２００とネットワーク家電機器３とのアクセス時間と、携帯電話機４または不正外部機器２００とネットワーク家電機器３との間の通信量とが取得される。なお、テレビジョン装置１は、インターネット５に接続された所定のサーバから、所定のログ取得用アプリケーションソフトをダウンロードすることが可能である。
【００３６】
また、制御部１３は、取得されたアクセスログ記録を、記憶部１４に記憶させるように構成されている。そして、制御部１３は、記憶部１４に記憶されたアクセスログ記録に基づいて、携帯電話機４とネットワーク家電機器３との通信頻度（所定時間内のアクセス回数）をアクセスログ記録として取得して記憶部１４に記憶させるように構成されている。
【００３７】
また、第１実施形態では、制御部１３は、テレビジョン装置１の電源がオフの状態からオンの状態までの間において、アクセスログ記録を取得するように構成されている。これにより、テレビジョン装置１は、ユーザが外出している時間帯や就寝中の時間帯などの、ユーザがネットワーク家電機器３の状態を知り得ない時間帯のアクセスログ記録を取得することが可能となるように構成されている。
【００３８】
次に、図２〜図４を参照して、テレビジョン装置１の表示部１１にアクセスログ記録を表示する態様、および、表示する対象の登録方法（ネットワーク家電のいずれの機器を表示するのか）について説明する。
【００３９】
表示部１１は、図２に示すように、矩形状に形成されている。また、表示部１１には、右上にアクセスログ記録を示すための矩形状のＯＳＤ（Ｏｎ−Ｓｃｒｅｅｎ  Ｄｉｓｐｌａｙ）メニュー１１ａが表示されている。このＯＳＤメニュー１１ａには、上段の左側から、アクセスのあったネットワーク家電機器３のエアコン３２（名称）と、エアコン３２のＩＰアドレスと、アクセス時間とが順に表示されている。また、下段にも同様にして、照明３３についてのアクセスログ記録が表示されている。この表示されたアクセスログ記録を見たユーザは、不正アクセスの有無を確認する（把握する）。たとえば、ユーザの身に覚えのないＩＰアドレス、アクセス時間、通信量および通信頻度がＯＳＤメニュー１１ａに表示されている場合に、ユーザは、不正アクセスされたことを確認することができる。
【００４０】
なお、図２では、アクセスログ記録として、ＩＰアドレスとアクセス時間とが表示されているものの、ユーザの設定により、通信量および通信頻度を含めて自由にアクセスログ記録の表示を選択することが可能なように構成されている。たとえば、表示部１１には、アクセスログ記録として、ＩＰアドレスと通信量とを表示するように設定した場合には、図３に示すように、ＯＳＤメニュー１１ａにＩＰアドレスと通信量とが表示されるように変更される。なお、テレビジョン装置１の表示部１１へのＯＳＤメニュー１１ａの表示設定の変更は、テレビジョン装置１付属のリモコン（図示せず）などにより行う。
【００４１】
また、図４に示すように、アクセスログ記録があるネットワーク家電機器３の中からユーザが所望の機器を選択することにより、ＯＳＤメニュー１１ａに表示するネットワーク家電機器３を登録することが可能である。具体的には、ＯＳＤメニュー１１ａには、「以下の機器を表示登録しますか」との問い合わせ表示とともに、選択するネットワーク家電機器３の一覧および「ＹＥＳ」または「ＮＯ」のいずれかを選択を求める問い合わせが表示される。そして、ユーザが、リモコンなどにより、電気ポット３１を「ＮＯ」、エアコン３２および照明３３を「ＹＥＳ」として選択（登録）することにより、図２に示すように、登録されたエアコン３２および照明３３のアクセスログ記録を示すＯＳＤメニュー１１ａが表示部１１に表示される。
【００４２】
次に、図５を参照して、テレビジョン装置１の制御部１３による、アクセスログ記録を表示するフローについて説明する。なお、テレビジョン装置１の表示部１１には、あらかじめエアコン３２および照明３３が、ＯＳＤメニュー１１ａの表示対象として登録されている
【００４３】
まず、ステップＳ１において、制御部１３により、テレビジョン装置１の電源がオフ（ＯＦＦ）の状態にされたか否かが判断される。電源がオフの状態にされていないと判断された場合には、オフの状態にされたと判断されるまでステップＳ１が繰り返される。また、電源がオフされたと判断された場合には、ステップＳ２に進む。なお、電源がオフの状態にされると、アクセスログ記録の取得する制御が開始される。
【００４４】
次に、ステップＳ２において、登録されたネットワーク家電機器３であるエアコン３２および照明３３に、携帯電話機４や不正外部機器２００などから、アクセスがあった（制御信号が送信された）か否かが判断される。アクセスがあったと判断される場合には、ステップＳ３に進む。また、アクセスがなかったと判断される場合には、ステップＳ５に進む。
【００４５】
次に、ステップＳ３において、制御信号からアクセスログ記録（ＩＰアドレス、アクセス時間および通信量）が取得される。そして、ステップＳ４に進み、記憶部１４にアクセスログが記憶されるとともに、通信頻度がアクセスログ記録として取得および記憶される。そして、ステップＳ５に進む。
【００４６】
次に、ステップＳ５において、テレビジョン装置１の電源がオン（ＯＮ）の状態にされた否かが判断される。すなわち、アクセスログ記録を取得および記憶する制御が終了された否かが判断される。電源がオンの状態にされたと判断されない場合には、再び、ステップＳ２に進み、登録されたエアコン３２および照明３３へのアクセスの有無を判断する制御が継続される。また、電源がオンの状態にされたと判断される場合には、ステップＳ６に進む。
【００４７】
次に、ステップＳ６において、アクセスログ記録があるか否かが判断される。アクセスログ記録がないと判断される場合には、アクセスログ記録を表示せずに、アクセスログ記録を表示するフローが終了する。
【００４８】
また、アクセスログ記録があると判断される場合には、ステップＳ７に進み、表示部１１に、図２および図３に示すように、ＯＳＤメニュー１１ａが表示されるとともに、ＯＳＤメニュー１１ａにユーザに選択（登録）されたアクセスログ記録が表示される。以上で、アクセスログ記録を表示するフローが終了する。
【００４９】
第１実施形態では、上記のように、携帯電話機４および不正外部機器２００からネットワーク家電機器３へのアクセスログ記録を表示してユーザに通知する表示部１１を含むテレビジョン装置１を設けることによって、ユーザがアクセスログ記録を取得するために各々のネットワーク家電機器３に対して特別な操作をしなくとも、テレビジョン装置１によりアクセスログ記録がユーザに通知されるので、ユーザは、不正外部機器２００からの不正アクセスを容易に把握することができる。
【００５０】
また、第１実施形態では、上記のように、表示部１１が携帯電話機４および不正外部機器２００からネットワーク家電機器３へのアクセス記録を内部ネットワークから取得する制御部１３を含むことによって、表示部１１に不正外部機器２００からの不正アクセスに関するアクセス記録が表示されるので、ユーザは不正外部機器２００からの不正アクセスをより容易に把握することができる。
【００５１】
また、第１実施形態では、上記のように、制御部１３を、テレビジョン装置１の電源がオフの状態からオンの状態までの間において、アクセスログ記録を取得するように構成する。これにより、ユーザが外出している時間帯や就寝中の時間帯など、ユーザがネットワーク家電機器３の状態を知り得ない時間帯のアクセスログ記録を取得することができるので、不正アクセスに関する有効な情報をユーザに提供することができる。
【００５２】
また、第１実施形態では、上記のように、インターネット５に接続される携帯電話機４および不正外部機器２００とホームネットワーク２に接続されるネットワーク家電機器３との双方向通信を中継するとともに、テレビジョン装置１に接続されるルーター６を設け、テレビジョン装置１を、ルーター６を介したネットワーク家電機器３と携帯電話機４および不正外部機器２００との間の通信状態をアクセスログ記録として表示するように構成する。これにより、ルーター６により、外部ネットワークを介して携帯電話機４と接続されたホームネットワーク２を容易に構成することができる。また、テレビジョン装置１は、ルーター６から、携帯電話機４および不正外部機器２００とネットワーク家電機器３との通信状態を取得することができるので、容易にアクセスログ記録を表示することができる。
【００５３】
また、第１実施形態では、上記のように、アクセスログ記録を、携帯電話機４および不正外部機器２００のＩＰアドレスと、携帯電話機４および不正外部機器２００からネットワーク家電機器３へのアクセス時間と、携帯電話機４および不正外部機器２００とネットワーク家電機器３との間の通信量と、携帯電話機４および不正外部機器２００とネットワーク家電機器３との間の通信頻度とから構成する。これにより、携帯電話機４以外の不正外部機器２００からの不正アクセスがあった場合に、ユーザが身に覚えのないＩＰアドレス、アクセス時間、通信量および通信頻度のうちの少なくともいずれか１つがテレビジョン装置１に表示されるので、ユーザは、より容易に不正アクセスを把握することができる。
【００５４】
また、第１実施形態では、上記のように、ホームネットワーク２に接続されたネットワーク家電機器３のうち、アクセスログ記録を表示する対象機器を登録可能に構成する。これにより、ユーザの選択によりアクセスログ記録を表示する対象機器を登録することができるので、ユーザが必要とするネットワーク家電機器３のアクセスログ記録のみを表示させることができる。
【００５５】
（第２実施形態）
次に、図６を参照して、第２実施形態における構成について説明する。なお、図６では、ルーター６、テレビジョン装置１およびデスクトップパソコン３４以外の構成を省略して図示している。なお、デスクトップパソコン３４は、本発明の「コンピュータ」の一例である。
【００５６】
第２実施形態では、テレビジョン装置１の表示部１１にのみアクセスログ記録を表示する上記第１実施形態とは異なり、テレビジョン装置１の表示部１１に加えて、ネットワーク家電機器３のデスクトップパソコン３４のディスプレイ３４ａにもアクセスログ記録を表示する例について説明する。
【００５７】
第２実施形態では、図６に示すように、テレビジョン装置１は、表示部１００のＯＳＤメニュー１１ａにアクセスログ記録を表示するのに加えて、デスクトップパソコン３４にアクセスログ記録に関する信号を送信するように構成されている。また、デスクトップパソコン３４は、テレビジョン装置１からの信号を受信することにより、ディスプレイ３４ａにテレビジョン装置１の表示部１１に表示されたＯＳＤメニュー１１ａと同様のＯＳＤメニュー３４ｂを表示するように構成されている。なお、デスクトップパソコン３４は、アクセスログ記録を自ら取得する構成を有していない。
【００５８】
なお、第２実施形態のその他の構成は、上記第１実施形態と同様である。
【００５９】
上記第２実施形態では、以下のような効果を得ることができる。
【００６０】
第２実施形態では、上記のように、携帯電話機４および不正外部機器２００からネットワーク家電機器３へのアクセスログ記録を表示してユーザに通知する表示部１１を含むテレビジョン装置１を設けることによって、上記第１実施形態と同様、ユーザは、不正外部機器２００からの不正アクセスを容易に把握することができる。
【００６１】
また、第２実施形態では、上記のように、デスクトップパソコン３４を、ホームネットワーク２を介してアクセスログ記録をテレビジョン装置１から受信するとともに、テレビジョン表示１の表示部１１とは別にアクセスログ記録をディスプレイ３４ａに表示してユーザに通知するように構成する。これにより、ユーザは、表示部１１に加えて、デスクトップパソコン３４によってもアクセスログ記録を把握することができるので、アクセスログ記録をより容易に把握することができる。
【００６２】
なお、第２実施形態のその他の効果は、上記第１実施形態と同様である。
【００６３】
（第３実施形態）
次に、図７を参照して、第３実施形態について説明する。なお、図７では、ルーター６、インターネット５、テレビジョン装置１、基地局４ａおよび携帯電話機４以外の構成を省略して図示している。
【００６４】
第３実施形態では、テレビジョン装置１の表示部１１に加えて、ネットワーク家電機器３のデスクトップパソコン３４のディスプレイ３４ａにもアクセスログ記録を表示する上記第２実施形態とは異なり、テレビジョン装置１の表示部１１に加えて、デスクトップパソコン３４ではなく、携帯電話機４にアクセスログ記録を表示する例について説明する。
【００６５】
第３実施形態では、図７に示すように、テレビジョン装置１は、表示部１００のＯＳＤメニュー１１ａにアクセスログ記録を表示するのに加えて、所定の定型メールを携帯電話機４（携帯電話機４のメールアドレス宛）に送信するように構成されている。また、係蹄電話機４は、表示部１１に表示されたＯＳＤメニュー１１ａと同様の内容のウインドウ４ｂを表示させるように構成されている。
【００６６】
なお、第３実施形態のその他の構成は、上記第１実施形態と同様である。
【００６７】
上記第３実施形態では、以下のような効果を得ることができる。
【００６８】
第３実施形態では、上記のように、携帯電話機４および不正外部機器２００からネットワーク家電機器３へのアクセスログ記録を表示してユーザに通知する表示部１１を含むテレビジョン装置１を設けることによって、上記第１実施形態と同様、ユーザは、不正外部機器２００からの不正アクセスを容易に把握することができる。
【００６９】
また、第３実施形態では、上記のように、携帯電話機４を、インターネット５を介してアクセスログ記録をテレビジョン装置１から受信するとともに、表示部１１とは別にアクセスログ記録をユーザに通知するように構成する。これにより、テレビジョン装置１の表示部１１に加えて、ユーザの手元にある可能性が高い携帯電話機４によっても通知がなされるので、ユーザは、アクセスログ記録をより一層容易に把握することができる。
【００７０】
なお、第３実施形態のその他の効果は、上記第１実施形態と同様である。
【００７１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７２】
たとえば、上記第１〜第３実施形態では、アクセスログ記録をテレビジョン装置により取得する例について示したが、本発明はこれに限られない。本発明では、たとえば、ルーターによりアクセスログ記録を取得して、アクセスログ記録がルーターからテレビジョン装置に送信されるように構成してもよい。
【００７３】
また、上記第１〜第３実施形態では、ルーターとネットワーク家電機器とを無線接続により通信可能に接続する例について示したが、本発明はこれに限られない。本発明では、たとえば、有線接続により通信可能に接続してもよい。
【００７４】
また、上記第１〜第３実施形態では、携帯電話機によりネットワーク家電機器を操作する例について示したが、本発明はこれに限られない。本発明では、たとえば、インターネットに接続されるコンピュータによりネットワーク家電機器を操作してもよい。
【００７５】
また、上記第１〜第３実施形態では、テレビジョン装置により電源がオフの状態からオンの状態までのアクセスログ記録を表示する例について示したが、本発明はこれに限られない。本発明では、たとえば、電源がオンの状態のアクセスログ記録を表示してもよい。
【００７６】
また、上記第１〜第３実施形態では、ユーザの登録によりアクセスログ記録を表示する表示対象のネットワーク家電機器を選択する例について示したが、本発明はこれに限られない。本発明では、たとえば、ネットワーク家電機器を登録することなく、全てのネットワーク家電機器を対象として、アクセスログ記録を表示してもよい。また、アクセスログ記録を表示すると登録されなかったネットワーク家電機器に関しては、アクセスログ記録自体を取得しないように構成してもよい。
【００７７】
また、上記第１〜第３実施形態では、アクセスログ記録として、ＩＰアドレスと、通信量と、通信時間と、通信頻度とを取得する例について示したが、本発明はこれに限られない。本発明では、たとえば、ＩＰアドレスと、通信量と、通信時間と、通信頻度とのうちの少なくとも１つを取得してもよい。また、その他のアクセスログ記録（たとえば、通信プロトコル）を取得してもよい。また、ＭＡＣアドレスを取得してもよい。
【００７８】
また、上記第１〜第３実施形態では、ネットワーク家電機器を登録した例について示したが、本発明はこれに限られない。本発明では、たとえば、予め正規の操作機器（携帯電話機など）を登録して、アクセスした操作機器が正規の操作機器の場合には、テレビジョン装置がアクセスログ記録を取得および記録する対象から除外するように設定してもよい。その際、正規の操作機器か否かは、通信プロトコルなどに基づいて判断することが可能である。
【００７９】
また、上記第１実施形態では、説明の便宜上、制御部１３の制御処理を制御処理フローに沿って順番に処理を行うフロー駆動型のフローチャートを用いて説明したが、本発明はこれに限られない。本発明では、制御部１３の制御処理を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【００８０】
１  テレビジョン装置（表示部）
２  ホームネットワーク（内部ネットワーク）
３  ネットワーク家電機器
４  携帯電話機（操作機器）
５  インターネット（外部ネットワーク）
６  ルーター（中継器）
３４  デスクトップパソコン（コンピュータ）
３４ａ  ディスプレイ
１００  家電機器監視システム
２００  不正外部機器（操作機器）
【図１】
2015080058.tif 000003
【図２】
2015080058.tif 000004
【図３】
2015080058.tif 000005
【図４】
2015080058.tif 000006
【図５】
2015080058.tif 000007
【図６】
2015080058.tif 000008
【図７】
2015080058.tif 000009